(57)【要約】【課題】ソケットと安定器との接続にリード線を使用した場合、そのリード線を短くし、コストダウンを可能とする。【解決手段】天井に取り付けられる反射板１と、この反射板１の下面側に配置される片口金形蛍光ランプと、反射板１の天面に設けられる安定器ユニット３とを備えた。安定器ユニット３は、反射板１よりも小型に形成されて反射板１における天面側の一部分に固定される金属ケース３１と、この金属ケース３１に収容されソケット３２を介して片口金形蛍光ランプに接続される安定器３４とにより構成されている。【選択図】　図１
2004103506.tif 000002
【特許請求の範囲】
【請求項１】
天井に取り付けられる反射板と、この反射板の下面側に配置されるランプと、前記反射板の天面に設けられる安定器ユニットとを備え、この安定器ユニットは、前記反射板よりも小型に形成されて前記反射板における天面側の一部分に固定される金属ケースと、この金属ケースに収容されソケットを介して前記ランプに接続される安定器とにより構成されていることを特徴とする照明器具。
【請求項２】
前記ソケットは前記金属ケースに固定され、前記反射板は前記ソケットを天面側から反射面側に挿入するためのソケット挿入孔を有していることを特徴とする請求項１記載の照明器具。
【請求項３】
前記安定器ユニットは、前記反射板を介して、前記ランプにおけるランプ温度の制御部と対向配置されることを特徴とする請求項１または２記載の照明器具。
【請求項４】
前記安定器の構成部品は、前記安定器ユニット内の温度分布が均一になるように回路配置されることを特徴とする請求項１から３のいずれかに記載の照明器具。
【請求項５】
前記金属ケースは、下方に開口を有し前記安定器を収容する箱状に形成されその開口縁部に前記ソケットが固定されるフランジ部を持ち、前記安定器は各構成部品が実装された実装基板からなり、この実装基板における前記ソケット近傍の端部には、リード線を介してそのソケットと接続されるリード線接続端子が搭載され、このリード線接続端子への前記リード線の接続箇所が前記実装基板の内側を向いていることを特徴とする請求項１から４のいずれかに記載の照明器具。
【発明の詳細な説明】
【０００１】
【発明の属する技術分野】
本発明は、ランプ（蛍光ランプなど）を点灯するための安定器を含む照明器具に関するものである。
【０００２】
【従来の技術】
図５は従来の照明器具の一部分解斜視図である。図５に示す照明器具は、図示しない例えば蛍光ランプを点灯するものであり、箱状の反射板１Ｐと、この反射板１Ｐの天面に設けられる照明器具本体３Ｐとを備え、反射板１Ｐまたは照明器具本体３Ｐにてボルトなどで天井に締付け固定される。照明器具本体３Ｐは、反射板１Ｐと同程度の寸法に形成された本体３１Ｐと、この本体３１Ｐに取り付けられる複数のソケット３２Ｐおよび一の端子台３３Ｐと、本体３１Ｐの両側に長手方向に沿って取り付けられる安定器３４Ｐとにより構成され、ソケット３２Ｐおよび端子台３３Ｐと安定器３４Ｐとの間にリード線３５Ｐが配線されている。また、反射板１Ｐは、ソケット３２Ｐおよび端子台３３Ｐの対応する位置にそれぞれを挿入するための挿入孔１００Ｐ，１０１Ｐを有している。なお、図中の１３Ｐは補助反射板であり、３１０Ｐはボルト取付部である。
【０００３】
図６は別の従来の照明器具の斜視図である。図６に示す照明器具は、ランプソケット３２Ｑと点灯回路部品を配置したプリント基板３４Ｑを収めたケース３１Ｑの一部にランプソケット３２Ｑと対向する開口孔３１０Ｑを形成し、この開口孔３１０Ｑを通じて反射笠１Ｑの基部がケース３１Ｑ内に挿入されてランプソケット３２Ｑの周囲に配置され、ランプソケット３２Ｑにはランプが装着されたダウンライトである（特開２００１−１３５１３０公報（特許文献１）参照）。このダウンライトでは、ランプソケット３２Ｑが取り付けられたプリント基板３４Ｑが安定器としてケース３１Ｑ内に組み込まれている。
【０００４】
【特許文献１】
特開２００１−１３５１３０公報
【０００５】
【発明が解決しようとする課題】
図５の従来の照明器具では、反射板１Ｐと同程度の寸法に形成された本体３１Ｐ両側の安定器３４Ｐとソケット３２Ｐおよび端子台３３Ｐとの間にリード線３５Ｐが配線されるので、本体３１Ｐ内のリード線３５Ｐが長くなっていた。
【０００６】
図６の従来の照明器具では、プリント基板３４Ｑにランプソケット３２Ｑが配置されるので、各ランプソケット３２Ｑを配置変えする場合、プリント基板３４Ｑを変更する必要があり、他品種への展開が困難であった。
【０００７】
本発明は、上記事情に鑑みてなされたものであり、ソケットと安定器との接続にリード線を使用した場合、そのリード線を短くすることができ、コストダウンが可能となる照明器具を提供することを目的とする。
【０００８】
【課題を解決するための手段】
上記課題を解決するための請求項１記載の発明の照明器具は、天井に取り付けられる反射板と、この反射板の下面側に配置されるランプと、前記反射板の天面に設けられる安定器ユニットとを備え、この安定器ユニットは、前記反射板よりも小型に形成されて前記反射板における天面側の一部分に固定される金属ケースと、この金属ケースに収容されソケットを介して前記ランプに接続される安定器とにより構成されていることを特徴とする。
【０００９】
請求項２記載の発明は、請求項１記載の照明器具において、前記ソケットは前記金属ケースに固定され、前記反射板は前記ソケットを天面側から反射面側に挿入するためのソケット挿入孔を有していることを特徴とする。
【００１０】
請求項３記載の発明は、請求項１または２記載の照明器具において、前記安定器ユニットは、前記反射板を介して、前記ランプにおけるランプ温度の制御部と対向配置されることを特徴とする。
【００１１】
請求項４記載の発明は、請求項１から３のいずれかに記載の照明器具において、前記安定器の構成部品は、前記安定器ユニット内の温度分布が均一になるように回路配置されることを特徴とする。
【００１２】
請求項５記載の発明は、請求項１から４のいずれかに記載の照明器具において、前記金属ケースは、下方に開口を有し前記安定器を収容する箱状に形成されその開口縁部に前記ソケットが固定されるフランジ部を持ち、前記安定器は各構成部品が実装された実装基板からなり、この実装基板における前記ソケット近傍の端部には、リード線を介してそのソケットと接続されるリード線接続端子が搭載され、このリード線接続端子への前記リード線の接続箇所が前記実装基板の内側を向いていることを特徴とする。
【００１３】
【発明の実施の形態】
図１は本発明に係る一実施形態の照明器具の一部分解斜視図、図２は同照明器具の断面図、図３は同照明器具における安定器ユニットの構造説明図である。
【００１４】
本実施形態の照明器具は、図１，図２に示すように、天井に取り付けられる反射板１と、この反射板１の下面側に並設される複数（同図の構成では４つ）の片口金形蛍光ランプ２と、反射板１の天面に設けられる安定器ユニット３とを備えている。
【００１５】
反射板１は、各片口金形蛍光ランプ２の軸方向を長手方向とする矩形状の開口１ａを有する箱状に形成されている。反射板１の底部１００の天面中央には、吊ボルトにて天井に取り付けられる断面コ字状の取付金具１１が各片口金形蛍光ランプ２の軸と直交する方向に取着されている。一方、底部１００の下面には、複数の片口金形蛍光ランプ２の先端側をそれぞれ支持するための複数の支持金具１２が取着されているとともに、断面Ｖ字状の補助反射板１３が片口金形蛍光ランプ２の軸方向に沿って取着されている。また、反射板１の底部１００における各片口金形蛍光ランプ２の口金側の各隅には、反射板１の短手方向に伸びるソケット挿入孔１００ａが一対穿設されている。
【００１６】
安定器ユニット３は、図１，図２，図３（ａ）に示すように、反射板１よりも小型（図では半分以下の大きさ）に形成されて反射板１の底部１００における天面側の一部分に固定される金属ケース３１と、複数のソケット３２と、端子台３３と、金属ケース３１に収容され、複数のソケット３２を介して複数の片口金形蛍光ランプ２と接続されるとともに端子台３３を介して図示しない商用電源と接続される安定器３４とにより構成されている。そして、安定器ユニット３は、反射板１を介して、各片口金形蛍光ランプ２におけるランプ温度の制御部となるアマルガム部２１と対向配置されている。
【００１７】
金属ケース３１は、各片口金形蛍光ランプ２の軸方向を短手方向とする矩形状の開口３１ａを下方に有し深さの異なる底部３１０，３１１を備える段差構造の箱状に形成され、開口３１ａの縁部に各ソケット３２が固定されるフランジ部３１２を一体に備え、深さの深い底部３１０側に安定器３４を収容し、深さの浅い底部３１１に端子台３３を取着している。また、フランジ部３１２には、図３に示すように、ソケット３２を３個または４個取り付けるための取付孔３１２ａが予め形成されている。なお、端子台３３は、例えば図示しないリード線を介して安定器３４と接続される。
【００１８】
安定器３４は、複数の片口金形蛍光ランプ２を安定点灯するための各構成部品が実装された実装基板３４１により構成される。実装基板３４１における各ソケット３２近傍の端部には、リード線３５を介して各ソケット３２と接続されるリード線接続端子３４２が搭載され、これらの各リード線接続端子３４２へのリード線３５の接続箇所が実装基板３４１の内側を向いている。また、安定器３４の構成部品は、電源部分を両側に配置するなどして、安定器ユニット３内の温度分布が均一になるように回路配置されている。
【００１９】
上記構成の照明器具では、反射板１の天面側から反射面（下面）側に挿入された各ソケット３２に各片口金形蛍光ランプ２を装着し、各片口金形蛍光ランプ２の先端側を各支持金具１２で支持することにより、各片口金形蛍光ランプ２が反射板１の下面側に並設される。
【００２０】
このように、反射板１よりも小型に形成されて反射板１における天面側の一部分に固定される金属ケース３１と、この金属ケース３１に収容され各ソケット３２を介して各片口金形蛍光ランプ２に接続される安定器３４とにより安定器ユニット３を小型に構成したことにより、各ソケット３２と安定器３４との接続にリード線を使用した場合、そのリード線を短くすることができ、コストダウンが可能となる。
【００２１】
また、各ソケット３２が金属ケース３１に固定され、反射板１が各ソケット３２を天面側から反射面側に挿入するためのソケット挿入孔１００ａを有しているので、金属ケース３１に固定されるソケット３２の数を変えることにより、片口金形蛍光ランプ２の配置などが異なる反射板に対してフレキシブルに対応でき、安定器ユニット３の共通（共用）化が可能となり、コスト削減が図れる。
【００２２】
また、安定器ユニット３が、反射板１を介して、各片口金形蛍光ランプ２におけるランプ温度の制御部と対向配置されるので、光束などの特性が安定する照明器具を提供することができる。つまり、各片口金形蛍光ランプ２の場合、口金側の温度が低いと特性が安定しにくいが、本実施形態では、安定器ユニット３の温度上昇により各片口金形蛍光ランプ２の口金側の温度安定性が良くなる。また、安定器ユニット３が各片口金形蛍光ランプ２の口金側に位置し、各片口金形蛍光ランプ２の先端（最冷部）側が反射板１のみで覆われることになり放熱性が良くなる。
【００２３】
また、安定器３４の構成部品が、安定器ユニット３内の温度分布が均一になるように回路配置されるので、各片口金形蛍光ランプ２間の点灯状態（温度）のバラツキを抑えることができる。
【００２４】
さらに、リード線接続端子３４２へのリード線３５の接続箇所が実装基板３４１の内側を向いているので、リード線の出代を抑え、組立時の接続作業性を良くすることができる。
【００２５】
なお、本実施形態では、安定器ユニット３は、一の実装基板３４１により構成される安定器３４を備えているが、これに限らず、図４に示すように、複数のケース付き安定器３４Ａを備える構成であってもよい。
【００２６】
【発明の効果】
以上のことから明らかなように、請求項１記載の発明は、天井に取り付けられる反射板と、この反射板の下面側に配置されるランプと、前記反射板の天面に設けられる安定器ユニットとを備え、この安定器ユニットは、前記反射板よりも小型に形成されて前記反射板における天面側の一部分に固定される金属ケースと、この金属ケースに収容されソケットを介して前記ランプに接続される安定器とにより構成されているので、ソケットと安定器との接続にリード線を使用した場合、そのリード線を短くすることができ、コストダウンが可能となる。
【００２７】
請求項２記載の発明は、請求項１記載の照明器具において、前記ソケットは前記金属ケースに固定され、前記反射板は前記ソケットを天面側から反射面側に挿入するためのソケット挿入孔を有しているので、金属ケースに固定されるソケットの数を変えることにより、ランプの配置などが異なる反射板に対してフレキシブルに対応でき、安定器ユニットの共通化が可能となり、コスト削減が図れる。
【００２８】
請求項３記載の発明は、請求項１または２記載の照明器具において、前記安定器ユニットは、前記反射板を介して、前記ランプにおけるランプ温度の制御部と対向配置されるので、光束などの特性が安定する照明器具を提供することができる。
【００２９】
請求項４記載の発明は、請求項１から３のいずれかに記載の照明器具において、前記安定器の構成部品は、前記安定器ユニット内の温度分布が均一になるように回路配置されるので、ランプが複数設けられる場合、ランプ間の点灯状態のバラツキを抑えることができる。
【００３０】
請求項５記載の発明は、請求項１から４のいずれかに記載の照明器具において、前記金属ケースは、下方に開口を有し前記安定器を収容する箱状に形成されその開口縁部に前記ソケットが固定されるフランジ部を持ち、前記安定器は各構成部品が実装された実装基板からなり、この実装基板における前記ソケット近傍の端部には、リード線を介してそのソケットと接続されるリード線接続端子が搭載され、このリード線接続端子への前記リード線の接続箇所が前記実装基板の内側を向いているので、リード線の出代を抑え、組立時の接続作業性を良くすることができる。
【図面の簡単な説明】
【図１】本発明に係る一実施形態の照明器具の一部分解斜視図である。
【図２】同照明器具の断面図である。
【図３】同照明器具における安定器ユニットの構造説明図である。
【図４】本実施形態の変形例を示す図である。
【図５】従来の照明器具の一部分解斜視図である。
【図６】別の従来の照明器具の斜視図である。
【符号の説明】
１　反射板
２　片口金形蛍光ランプ
３　安定器ユニット
３１　金属ケース
３２　ソケット
３３　端子台
３４　安定器
【図１】
2004103506.tif 000003
【図２】
2004103506.tif 000004
【図３】
2004103506.tif 000005
【図４】
2004103506.tif 000006
【図５】
2004103506.tif 000007
【図６】
2004103506.tif 000008